(57)【要約】【課題】  入力部外縁と開口部内縁との間の隙間が小さく、見栄えが良い揺動スイッチを提供することを課題とする。【解決手段】  揺動スイッチ１は、意匠パネル９の開口部９０に配置される入力部２０と、少なくとも一部が入力部２０の裏側に配置されるスイッチ側ガイド部２４ａ〜２４ｃと、を持つスイッチ本体２と、少なくとも一部が入力部２０の裏側に配置され、スイッチ側ガイド部２４ａ〜２４ｃが摺接することにより、入力部２０又は意匠パネル９の表面に略一致した揺動中心Ｏで、スイッチ本体２を揺動させるパネル側ガイド部６１ａ〜６１ｃと、を備え、スイッチ側ガイド部及びパネル側ガイド部は、スイッチ本体２を片持ち梁状に支持している。【選択図】  図４
2006331999.tif 000002
【特許請求の範囲】
【請求項１】
意匠パネルの開口部に配置される入力部と、少なくとも一部が該入力部の裏側に配置されるスイッチ側ガイド部と、を持つスイッチ本体と、
少なくとも一部が前記入力部の裏側に配置され、前記スイッチ側ガイド部が摺接することにより、前記入力部又は前記意匠パネルの表面に略一致した揺動軸心で、前記スイッチ本体を揺動させるパネル側ガイド部と、を備え、
前記スイッチ側ガイド部及び前記パネル側ガイド部は、前記スイッチ本体を片持ち梁状に支持せしめる構成とされていることを特徴とする揺動スイッチ。
【請求項２】
前記スイッチ側ガイド部及び前記パネル側ガイド部のうちの一方は、前記揺動軸心を中心とする同心円上にそれぞれ配置されるとともに、該揺動軸心をそれぞれ円弧中心とする複数の部分円弧状のガイド穴であり、
前記スイッチ側ガイド部及び前記パネル側ガイド部のうちの他方は、前記揺動軸心を中心とする同心円上にそれぞれ配置されるとともに、各前記ガイド穴に沿ってそれぞれ摺動可能に各該ガイド穴内にそれぞれ挿入された複数のガイド突起であることを特徴とする請求項１記載の揺動スイッチ。
【請求項３】
前記スイッチ側ガイド部及び前記パネル側ガイド部のうちの一方は、前記揺動軸心を円弧中心とする部分円弧状のガイド穴を含み、該スイッチ側ガイド部及び該パネル側ガイド部のうちの他方は、該ガイド穴に沿って摺動可能に該ガイド穴内に挿入されたガイド突起を含み、かつ、
前記スイッチ側ガイド部は、前記入力部の裏面から略Ｕ字状に延びた先端に先端被支持部を有するヒンジ部を含み、前記パネル側ガイド部は、該先端被支持部が前記揺動軸心を円弧中心とする円弧上を移動しうるように該先端被支持部を支持可能な支持部を含むことを特徴とする請求項１記載の揺動スイッチ。
【発明の詳細な説明】
【技術分野】
【０００１】
本発明は、各種機器の操作部に指示入力用として配設される揺動スイッチに関する。
【背景技術】
【０００２】
揺動スイッチは、任意の揺動軸を中心に入力部が揺動するように構成されている。揺動スイッチは、例えば音響機器、空調機器などの操作部に配設されている。特許文献１には、音響機器において、音量の増減や受信チャンネルのチューニングなどに用いられる揺動スイッチが紹介されている。
【０００３】
図１０に、従来の揺動スイッチの長手方向断面図を示す。図１０において、（ａ）は入力待ち状態を、（ｂ）、（ｃ）は入力状態を、それぞれ示す。図に示すように、揺動スイッチ１００は、入力部１０１と揺動アーム１０２とを備えている。入力部１０１は、意匠パネル１０３に開設された開口部１０５内に配置されている。揺動アーム１０２は、入力部１０１の裏面から突設されている。揺動アーム１０２の先端は、揺動軸１０４に枢支されている。揺動軸１０４は、意匠パネル１０３裏側に固定されている。
【特許文献１】特開平８−１０２２３２号公報
【発明の開示】
【発明が解決しようとする課題】
【０００４】
操作者が、入力部１０１を表側から押圧すると、揺動スイッチ１００は、図１０（ａ）〜（ｃ）に示すように、揺動軸１０４を中心に、ちょうどシーソーのように揺動する。ここで、入力部１０１外縁と開口部１０５内縁との間の、意匠パネル１０３表面垂直方向から見た隙間ｄ１は、揺動角度により変化する。図１０（ｂ）に示すように、入力により、紙面時計回り方向に入力部１０１が揺動すると、隙間ｄ１は小さくなる。一方、図１０（ｃ）に示すように、入力により、紙面反時計回り方向に入力部１０１が揺動すると、隙間ｄ１は大きくなる。
【０００５】
そして、図１０（ｂ）に示すように、隙間ｄ１が小さくなると、入力部１０１外縁と開口部１０５内縁とが干渉するおそれがある。このため、図１０（ａ）に示す入力待ち状態の隙間ｄ１は、入力時における隙間の変化を加味して、比較的大きく設定されている。並びに、隙間ｄ１と入力部１０１の長手方向に対向する隙間（（ｃ）の場合に小さくなる隙間）も、同様の理由により、比較的大きく設定されている。したがって、従来の揺動スイッチは、揺動する入力部１０１の両端側で、開口部１０５内縁との間に比較的大きな隙間が存在し、見栄えが悪かった。
【０００６】
本発明の揺動スイッチは、上記課題に鑑みて完成されたものである。したがって、本発明は、入力部外縁と開口部内縁との間の隙間が小さく、見栄えが良い揺動スイッチを提供することを目的とする。
【課題を解決するための手段】
【０００７】
上記課題を解決する本発明の揺動スイッチは、意匠パネルの開口部に配置される入力部と、少なくとも一部が該入力部の裏側に配置されるスイッチ側ガイド部と、を持つスイッチ本体と、少なくとも一部が前記入力部の裏側に配置され、前記スイッチ側ガイド部が摺接することにより、前記入力部又は前記意匠パネルの表面に略一致した揺動軸心で、前記スイッチ本体を揺動させるパネル側ガイド部と、を備え、前記スイッチ側ガイド部及び前記パネル側ガイド部は、前記スイッチ本体を片持ち梁状に支持せしめる構成とされていることを特徴とするものである。
【０００８】
この揺動スイッチでは、入力時にスイッチ本体が揺動する際、その揺動軸心が入力部又は意匠パネルの表面に略一致するように、スイッチ側ガイド部及びパネル側ガイド部によりスイッチ本体が片持ち梁状に支持されている。このため、入力時に、入力部外縁と開口部内縁との間の隙間（以下、適宜「隙間」と略称する）が小さくなるのを加味して、入力待ち状態における隙間を設定する必要がない。したがって、入力待ち状態における隙間を最小にすることができる。
【０００９】
本発明の揺動スイッチの好適な態様において、前記スイッチ側ガイド部及び前記パネル側ガイド部のうちの一方は、前記揺動軸心を中心とする同心円上にそれぞれ配置されるとともに、該揺動軸心をそれぞれ円弧中心とする複数の部分円弧状のガイド穴であり、前記スイッチ側ガイド部及び前記パネル側ガイド部のうちの他方は、前記揺動軸心を中心とする同心円上にそれぞれ配置されるとともに、各前記ガイド穴に沿ってそれぞれ摺動可能に各該ガイド穴内にそれぞれ挿入された複数のガイド突起である。
【００１０】
この態様の揺動スイッチでは、前記揺動軸心を中心とする同心円上にそれぞれ配置されるとともに該揺動軸心をそれぞれ円弧中心とする部分円弧状の各ガイド穴内で、各ガイド突起がそれぞれ各ガイド穴に沿って摺動することで、片持ち梁状に支持されたスイッチ本体が前記揺動軸心を中心として揺動する。このため、この態様によれば、スイッチ本体の揺動時、揺動方向以外にスイッチ本体ががたつくことを複数のガイド穴及びガイド突起で規制することができるので、揺動時におけるスイッチ本体の姿勢を安定に保持して動作を円滑にすることが可能となる。
【００１１】
本発明の揺動スイッチの好適な態様において、前記スイッチ側ガイド部及び前記パネル側ガイド部のうちの一方は、前記揺動軸心を円弧中心とする部分円弧状のガイド穴を含み、該スイッチ側ガイド部及び該パネル側ガイド部のうちの他方は、該ガイド穴に沿って摺動可能に該ガイド穴内に挿入されたガイド突起を含み、かつ、前記スイッチ側ガイド部は、前記入力部の裏面から略Ｕ字状に延びた先端に先端被支持部を有するヒンジ部を含み、前記パネル側ガイド部は、該先端被支持部が前記揺動軸心を円弧中心とする円弧上を移動しうるように該先端被支持部を支持可能な支持部を含む。
【００１２】
この態様の揺動スイッチでは、前記揺動軸心を円弧中心とする部分円弧状のガイド穴内でガイド突起が該ガイド穴に沿って摺動するとともに、前記揺動軸心を円弧中心とする円弧上をヒンジ部の先端被支持部が支持部に対して移動することで、片持ち梁状に支持されたスイッチ本体が前記揺動軸心を中心として揺動する。このスイッチ本体の揺動時、ガイド穴及びガイド突起は、揺動方向以外の方向にスイッチ本体が移動しようとする動きを規制する。このため、この態様によれば、スイッチ本体の揺動時、揺動方向以外にスイッチ本体ががたつくことをガイド穴及びガイド突起で規制することができるので、揺動時におけるスイッチ本体の姿勢を安定に保持して動作を円滑にすることが可能となる。
【発明の効果】
【００１３】
したがって、本発明によると、入力部外縁と開口部内縁との間の隙間が小さく、見栄えが良い揺動スイッチを提供することができる。
【発明を実施するための最良の形態】
【００１４】
以下、本発明の揺動スイッチを車両の空調機器の温度調整スイッチとして具現化した実施の形態について説明する。
【００１５】
＜第一実施形態＞
まず、本実施形態の揺動スイッチの構成について説明する。図１に、本実施形態の揺動スイッチの分解斜視図を示す。図２に、同揺動スイッチの合体斜視図を示す。図３に、図２のＩ−Ｉ断面図であって、後述する入力ピン等の部分で切った断面図を示す。図４に、図２のＩＩ−ＩＩ断面図であって、後述するアーム等の部分で切った断面図を示す。なお、説明の便宜上、図２においてインストルメントパネルを透過して示す。
【００１６】
図１に示されるように、本実施形態の揺動スイッチ１は、スイッチ本体２と、支持部材６とを備えている。
【００１７】
スイッチ本体２は、樹脂よりなる一体成形品であって、入力部２０と、一対のアーム２１と、一対のロッド２２ａ、２２ｂと、蓋部２３とを備えている。
【００１８】
入力部２０は矩形板状を呈しており、蓋部２３は入力部２０よりも幅の狭い矩形板状を呈している。蓋部２３は、入力部２０の幅方向一端部に段差を介して設けられている。入力部２０は、車室内のインストルメントパネル９に開設された矩形の開口部９０内に配置され、蓋部２３はこのインストルメントパネル９の裏側に配置されている（図２参照）。インストルメントパネル９は、本発明の意匠パネルに含まれる。
【００１９】
一対のアーム２１は、矩形板状を呈している。アーム２１は、入力部２０及び蓋部２３の裏面から突設されている。一対のアーム２１は、入力部２０（及び蓋部２３）の向かい合う短辺に、対向して配置されている。各々のアーム２１には、第１ガイド穴２４ａ、第２ガイド穴２４ｂ、第３ガイド穴２４ｃがそれぞれ形成されている。第１ガイド穴２４ａ、第２ガイド穴２４ｂ、第３ガイド穴２４ｃは、本発明のスイッチ側ガイド部に含まれる。
【００２０】
第１ガイド穴２４ａ、第２ガイド穴２４ｂ、第３ガイド穴２４ｃは、スイッチ本体２の揺動軸心Ｏを中心とする同心円上にそれぞれ配置されるとともに、揺動軸心Ｏをそれぞれ円弧中心とする部分円弧状を呈している。この揺動軸心Ｏは、インストルメントパネル９の表面上であって、入力部２０の幅方向一端側（蓋部２３が設けられた側）の外縁と対向する、開口部９０内縁の長辺とされている（図４参照）。
【００２１】
第１ガイド穴２４ａ、第２ガイド穴２４ｂ、第３ガイド穴２４ｃは、それぞれの延在する方向（角度）が異なる。三者のうちで揺動軸心Ｏから最も遠い第１ガイド穴２４ａは、入力部２０の表面に対して最も垂直に近い方向に延在している。三者のうちで揺動軸心Ｏに最も近い第３ガイド穴２４ｃは、入力部２０の表面に対して最も平行に近い方向に延在している。第１ガイド穴２４ａ及び第３ガイド穴２４ｃの間にある第２ガイド穴２４ｂは、入力部２０の表面に対して斜め方向に延在している。第１ガイド穴２４ａ、第２ガイド穴２４ｂ、第３ガイド穴２４ｃは、揺動軸心Ｏを中心とする同心円であって、それぞれの半径が異なる第１円、第２円、第３円上にそれぞれ配置されている。第１ガイド穴２４ａは、半径が最も大きい第１円の部分円弧状を呈している。第２ガイド穴２４ｂは、中間の半径をもつ第２円の部分円弧状を呈している。第３ガイド穴２４ｃは、半径が最も小さい第３円の部分円弧状を呈している。第１ガイド穴２４ａ及び第２ガイド穴２４ｂは、入力部２０の裏側に配置されている。第３ガイド穴２４ｃは蓋部２３の裏側に配置されている。
【００２２】
なお、図１には、一方のアーム２１に設けられた第１ガイド穴２４ａ、第２ガイド穴２４ｂ、第３ガイド穴２４ｃのみを図示しているが、他方のアーム２１にも同様に第１ガイド穴２４ａ、第２ガイド穴２４ｂ、第３ガイド穴２４ｃが形成されている。
【００２３】
一対のロッド２２ａ、２２ｂは、丸棒状を呈している。ロッド２２ａ、２２ｂは、入力部２０の裏面から突設されている。一対のロッド２２ａ、２２ｂは、入力部２０の長手方向の両端付近であって、入力部２０の幅方向他端側（蓋部２３が設けられていない側であって、揺動軸心Ｏから遠い側の幅方向端部）の端部付近に配置されている。
【００２４】
支持部材６は、樹脂よりなる一体成形品であって、入力部２０及び蓋部２３の外形状に略対応した矩形状の開口をもつ箱部６０を有している。支持部材６は、インストルメントパネル９の裏面に突設された４個のＬ形突起部９１内面に箱部６０の四隅が嵌合されることにより、インストルメントパネル９に保持されている。箱部６０の対向する二壁（短辺に相当する側壁）には、それぞれ第１ガイド突起６１ａ、第２ガイド突起６１ｂ、第３ガイド突起６１ｃが形成されている。第１ガイド突起６１ａ、第２ガイド突起６１ｂ、第３ガイド突起６１ｃは、本発明のパネル側ガイド部に含まれる。第１ガイド突起６１ａ、第２ガイド突起６１ｂ、第３ガイド突起６１ｃは、丸棒状を呈しており、前記揺動軸心Ｏを中心とする同心円上にそれぞれ配置されるとともに、各前記第１ガイド穴２４ａ、第２ガイド穴２４ｂ、第３ガイド穴２４ｃに沿ってそれぞれ摺動可能に各第１ガイド穴２４ａ、第２ガイド穴２４ｂ、第３ガイド穴２４ｃ内にそれぞれ挿入されている。第１ガイド突起６１ａ、第２ガイド突起６１ｂ、第３ガイド突起６１ｃは、前記第１円、前記第２円、前記第３円上にそれぞれ配置されている。
【００２５】
したがって、スイッチ本体２は、第１ガイド突起６１ａ、第２ガイド突起６１ｂ、第３ガイド突起６１ｃが第１ガイド穴２４ａ、第２ガイド穴２４ｂ、第３ガイド穴２４ｃに沿ってそれぞれ摺動することにより、インストルメントパネル９の表面上であって、入力部２０外縁の幅方向一端側の長辺に対向する開口部９０内縁の長辺を揺動軸心Ｏ（図４参照）として、揺動可能とされている。また、スイッチ本体２は、第１ガイド突起６１ａ、第２ガイド突起６１ｂ及び第３ガイド突起６１ｃ、並びに第１ガイド穴２４ａ、第２ガイド穴２４ｂ及び第３ガイド穴２４ｃの３点支持により、支持部材６及びインストルメントパネル９に対して、入力部２０の幅方向他端側（揺動軸心Ｏから遠い側）の端部を自由端として、片持ち梁状に支持されている。
【００２６】
支持部材６の箱部６０の底壁には、箱部６０の底面に開口する挿入孔６２ａ、６２ｂをもつピン挿入筒部６３ａ、６３ｂが形成されている。挿入孔６２ａには、樹脂製であって丸棒状の入力ピン６４ａが挿入されている。同様に、挿入孔６２ｂには、樹脂製であって丸棒状の入力ピン６４ｂが挿入されている。入力ピン６４ａの表側には、前記ロッド２２ａが配置されている。同様に、入力ピン６４ｂの表側には、前記ロッド２２ｂが配置されている。ロッド２２ａ、２２ｂの先端面は、それぞれ入力ピン６４ａ、６４ｂの表側端面に当接している。
【００２７】
なお、入力ピン６４ａ、６４ｂの裏側には、温度調整信号を発振する基板素子のスイッチ部が配設されている。
【００２８】
次に、本実施形態の揺動スイッチの動きについて説明する。図５（ａ）に示されるように、ロッド２２ａ（２２ｂ）と入力ピン６４ａ（６４ｂ）とは、表裏方向に直列に並んでいる。操作者が入力部２０の表面を押圧すると、図５（ｂ）に示されるように、図略のアームが紙面半時計回り方向に揺動し、箱部６０に設けられた第１ガイド突起６１ａ、第２ガイド突起６１ｂ及び第３ガイド突起６１ｃが、図略のアームに設けられた第１ガイド穴２４ａ、第２ガイド穴２４ｂ及び第３ガイド穴２４ｃに沿って、相対的には紙面時計回り方向に摺動する。これにより、スイッチ本体２が揺動軸心Ｏを中心に、紙面反時計回り方向に揺動する。したがって、操作者の押圧力は、ロッド２２ａ（２２ｂ）及び入力ピン６４ａ（６４ｂ）を介して、前記スイッチ部に伝達される。これにより、基板素子（図略）が温度調整信号を発信する。このようにして、操作者の温度調整の指示が空調機器に伝送される。操作者が押圧を止めると、前記スイッチ部の反力により、再び図５（ａ）に示す入力待ち状態に戻る。
【００２９】
次に、本実施形態の揺動スイッチの作用効果について説明する。本実施形態の揺動スイッチ１によると、揺動軸心Ｏがインストルメントパネル９表面に一致して配置されている。このため、入力部２０外縁と開口部９０内縁との間の隙間ｄ２は、図５（ａ）に示す入力待ち状態において、最小となる。したがって、見栄えが良い。
【００３０】
また、本実施形態では、揺動軸心Ｏを中心とする同心円上にそれぞれ配置されるとともに揺動軸心Ｏをそれぞれ円弧中心とする部分円弧状の第１ガイド穴２４ａ、第２ガイド穴２４ｂ、第３ガイド穴２４ｃ内で、第１ガイド突起６１ａ、第２ガイド突起６２ｂ、第３ガイド突起６２ｃがそれぞれ各ガイド穴に沿って摺動することで、片持ち梁状に支持されたスイッチ本体２が揺動軸心Ｏを中心として揺動する。このため、この態様によれば、スイッチ本体２の揺動時、揺動方向以外にスイッチ本体２ががたつくことを３対のガイド穴及びガイド突起で規制することができる。
【００３１】
具体的には、揺動中心Ｏから最も遠い第１ガイド穴２４ａが入力部２０に対して最も垂直方向に近い方向に延在していることから、この第１ガイド穴２４ａに沿って第１ガイド突起６１ａが摺動することにより、スイッチ本体２が入力部２０に対して平行方向にがたつくことを規制することができる。また、揺動中心Ｏから最も近い第３ガイド穴２４ｃが入力部２０に対して最も平行方向に近い方向に延在していることから、この第３ガイド穴２４ｃに沿って第３ガイド突起６１ｃが摺動することにより、スイッチ本体２が入力部２０に対して垂直方向にがたつくことを規制することができる。第１ガイド穴２４ａ及び第３ガイド穴２４ｃの間にある第２ガイド穴２４ｂは、入力部２０の表面に対して斜め方向に延在していることから、この第２ガイド穴２４ｂに沿って第２ガイド突起６１ｂが摺動することにより、第２ガイド穴２４ｂが延びる斜め方向に対して垂直な斜め方向にスイッチ本体２ががたつくことを規制することができる。
【００３２】
よって、本実施形態によれば、揺動時におけるスイッチ本体２の姿勢を安定に保持して動作を円滑にすることが可能となる。
【００３３】
さらに、入力部２０の表面とインストルメントパネル９の表面とは、入力待ち状態において面一である。したがって、隙間ｄ２が小さいこととも相俟って、入力部２０とインストルメントパネル９との意匠的統一感が高くなる。
【００３４】
＜第二実施形態＞
図６は、図２のＩＩ−ＩＩ断面図に相当し、アーム等の部分で切った断面図を示す。
【００３５】
図６に示される本実施形態は、第１ガイド穴２４ａ及び第２ガイド穴２４ｂ、並びに第１ガイド突起６１ａ及び第２ガイド突起６１ｂの２点支持により、スイッチ本体２を片持ち梁状に支持するものである。
【００３６】
すなわち、本実施形態では、図６に示されるように、スイッチ本体２が蓋部２３を有していない。一対のアーム２１が入力部２０の裏面から突設されている。各アーム２１には、第１ガイド穴２４ａ、第２ガイド穴２４ｂがそれぞれ形成されている。また、支持部材６の箱部６０には、第１ガイド突起６１ａ、第２ガイド突起６１ｂがそれぞれ形成されている。これら第１ガイド穴２４ａ及び第２ガイド穴２４ｂ、並びに第１ガイド突起６１ａ及び第２ガイド突起６１ｂは、前記第一実施形態のものとそれぞれ同様の構成を有している。
【００３７】
その他の構成は前記第一実施形態と同様である。
【００３８】
したがって、本実施形態の揺動スイッチ１は、基本的には第一実施形態の揺動スイッチと同様の作用効果を有する。
【００３９】
＜第三実施形態＞
図７は、図２のＩ−Ｉ断面図に相当し、入力ピン等の部分で切った断面図を示す。図８は、図２のＩＩ−ＩＩ断面図に相当し、アーム等で切った断面図を示す。
【００４０】
図７〜図９に示される本実施形態では、支持部材６が配置されていない。またスイッチ本体２にガイド穴が、インストルメントパネル９にガイド突起が、それぞれ配置されている。
【００４１】
すなわち、本実施形態では、スイッチ本体２が蓋部２３を有していない。また、一対のアーム２１が入力部２０の裏面から突設されている。各アーム２１には、第１ガイド穴２４ａのみがそれぞれ形成されており、第２ガイド穴及び第３ガイド穴は形成されていない。
【００４２】
インストルメントパネル９の裏面から一対の支持片７が一体に突設されている。一対の支持片７は、矩形板状を呈している。各支持片７は、インストルメントパネル９の開口部９０の向かい合う短辺に、対向して配置されている。各々の支持片７には、第１ガイド突起７１ａのみがそれぞれ形成されており、第２ガイド突起及び第３ガイド突起は形成されていない。第１ガイド突起７１ａは、揺動中心Ｏを円弧中心とする部分円弧状を呈している。第１ガイド突起７１ａの円弧長さは、第１ガイド穴２４ａの円弧長さよりも短くされている。
【００４３】
第１ガイド穴２４ａは、前記第一実施形態と同様に、入力部２０の表面に対して垂直に近い方向に延在している。
【００４４】
スイッチ本体２の入力部２０の裏面から略Ｕ字状に延びたヒンジ部８が一体に設けられている。ヒンジ部８は、入力部２０の幅方向一端側（揺動軸心Ｏに近い側の幅方向端部）の端部付近に配置されている。ヒンジ部８の先端には、入力部２０の長手方向に延びる丸棒状の先端被支持部８１が設けられている。ヒンジ部８は、本発明のスイッチ側ガイド部に含まれる。
【００４５】
インストルメントパネル９の裏面には、支持部９２が設けられている。支持部９２は、ヒンジ部８の先端被支持部８１が揺動軸心Ｏを円弧中心とする円弧上を移動しうるように、先端被支持部８１を支持可能であって、揺動軸心Ｏを円弧中心とする部分円弧状のガイド凹部９３を有している。支持部９２のガイド凹部９３は、本発明のパネル側ガイド部に含まれる。ガイド凹部９３は、入力部２０の表面に対して平行に近い方向に延在している。
【００４６】
なお、ピン挿入筒部６３ａ、６３ｂは、各支持片７の先端に一体に設けられている。
【００４７】
その他の構成は、前記第一実施形態と同様である。
【００４８】
したがって、本実施形態の揺動スイッチ１は、基本的には第一実施形態の揺動スイッチと同様の作用効果を有する。
【００４９】
すなわち、本実施形態の揺動スイッチ１では、第一実施形態の揺動スイッチと同様、図９（ａ）に示される入力待ち状態で、操作者が入力部２０の表面を押圧すると、図９（ｂ）に示されるように、図略のアームが紙面半時計回り方向に揺動し、支持片７に設けられた第１ガイド突起７１ａが、図略のアームに設けられた第１ガイド穴２４ａに沿って、相対的には紙面時計回り方向に摺動する。また、ヒンジ部８の先端被支持部８１が、支持部９２のガイド凹部９３に案内されて、紙面反時計回りに揺動する。これにより、スイッチ本体２が揺動軸心Ｏを中心に、紙面反時計回り方向に揺動する。そして、このときの揺動軸心Ｏがインストルメントパネル９表面に一致して配置されている。このため、入力部２０外縁と開口部９０内縁との間の隙間ｄ２は、図５（ａ）に示す入力待ち状態において、最小となる。したがって、見栄えが良い。
【００５０】
また、本実施形態では、揺動軸心Ｏを円弧中心とする部分円弧状の第１ガイド穴２４ａ内で第１ガイド突起７１ａが第１ガイド穴２４ａに沿って摺動するとともに、揺動軸心Ｏを円弧中心とする部分円弧状のガイド凹部９３に案内されて、該円弧上をヒンジ部８の先端被支持部８１が支持部９１に対して移動することで、片持ち梁状に支持されたスイッチ本体２が揺動軸心Ｏを中心として揺動する。このスイッチ本体２の揺動時、第１ガイド突起７１ａ及び第１ガイド穴２４ａ、並びに支持部９２のガイド凹部９３及び先端被支持部８１は、揺動方向以外の方向にスイッチ本体２が移動しようとする動きを規制する。このため、この態様によれば、スイッチ本体２の揺動時、揺動方向以外にスイッチ本体２ががたつくことを規制することができる。
【００５１】
具体的には、揺動中心Ｏから遠い第１ガイド穴２４ａが入力部２０に対して垂直方向に近い方向に延在していることから、この第１ガイド穴２４ａに沿って第１ガイド突起７１ａが摺動することにより、スイッチ本体２が入力部２０に対して平行方向にがたつくことを規制することができる。また、揺動中心Ｏから近いガイド凹部９３が入力部２０に対して平行方向に近い方向に延在していることから、このガイド凹部９３に沿って先端被支持部８１が摺動することにより、スイッチ本体２が入力部２０に対して垂直方向にがたつくことを規制することができる。
【００５２】
よって、本実施形態によれば、揺動時におけるスイッチ本体２の姿勢を安定に保持して動作を円滑にすることが可能となる。
【００５３】
さらに、本実施形態の揺動スイッチ１には、支持部材が配置されていない。このため、部品点数が少なくて済む。さらに、入力部２０外縁と開口部９０内縁との間の隙間に、支持部材に起因する誤差（例えば支持部材自体の成形誤差、支持部材とスイッチ本体２との組み付け誤差、支持部材と開口部９０とのずれなど）を含める必要がない。したがって、さらに、入力部２０外縁と開口部９０内縁との間の隙間を小さくすることができる。
【００５４】
＜その他＞
以上、本発明の揺動スイッチの実施の形態について説明した。しかしながら、実施の形態は上記形態に特に限定されるものではない。当業者が行いうる種々の変形的形態、改良的形態で実施することも可能である。例えば、本実施形態の揺動スイッチは、空調機器のみならず、音響機器、ナビゲーション機器、家電製品などあらゆる機器に用いることができる。
【００５５】
なお、インストルメントパネル９のようにフラッシュサーフェイス化が望まれる意匠パネルに、本発明の揺動スイッチを組み合わせると、開口部とスイッチ本体との間の隙間が小さいため、特に有効である。
【図面の簡単な説明】
【００５６】
【図１】第一実施形態の揺動スイッチの分解斜視図である。
【図２】同揺動スイッチの合体斜視図である。
【図３】図２のＩ−Ｉ断面図である。
【図４】図２のＩＩ−ＩＩ断面図である。
【図５】同揺動スイッチの幅方向（短手方向）断面図であり、（ａ）は入力待ち状態、（ｂ）は入力状体をそれぞれ示す。
【図６】第二実施形態の揺動スイッチの幅方向（短手方向）断面図である。
【図７】第三実施形態の揺動スイッチの長手方向断面図である。
【図８】同揺動スイッチの幅方向（短手方向）断面図である。
【図９】同揺動スイッチの幅方向（短手方向）断面図であり、（ａ）は入力待ち状態、（ｂ）は入力状体をそれぞれ示す。
【図１０】従来の揺動スイッチの長手方向断面図である。
【符号の説明】
【００５７】
１：揺動スイッチ、２：スイッチ本体、２０：入力部、２１：アーム、２４ａ〜２４ｃ：第１〜第３ガイド穴（スイッチ側ガイド部）、２２ａ，２２ｂ：ロッド、６：支持部材、６０：箱部、６１ａ〜６１ｃ：第１〜第３ガイド突起（パネル側ガイド部）、６２ａ，６２ｂ：挿入孔、６３ａ，６３ｂ：ピン挿入筒部、６４ａ，６４ｂ：入力ピン、７：支持片、７１ａ：第１ガイド突起（パネル側ガイド部）、８：ヒンジ部、８１：先端被支持部、９：インストルメントパネル（意匠パネル）、９０：開口部、９１：Ｌ形突起部、９２：支持部、９３：ガイド凹部（パネル側ガイド部）
【図１】
2006331999.tif 000003
【図２】
2006331999.tif 000004
【図３】
2006331999.tif 000005
【図４】
2006331999.tif 000006
【図５】
2006331999.tif 000007
【図６】
2006331999.tif 000008
【図７】
2006331999.tif 000009
【図８】
2006331999.tif 000010
【図９】
2006331999.tif 000011
【図１０】
2006331999.tif 000012